(57)【要約】【課題】基地局が端末機の向上された逆方向専用チャンネル(ＥＵＤＣＨ)サービスのためのデータレートを決定する方法を提供する。【解決手段】  基地局制御器と、基地局制御器に端末送信電力等級情報を伝送する端末機と、送信電力等級に対応する総送信電力を貯蔵するテーブルとを備え、端末機の向上された逆方向専用チャンネルサービスを支援する基地局を備える移動通信システムで基地局が向上された逆方向専用チャンネルサービスのための前記端末機のデータレートを決定する方法において、端末機から端末機の逆方向チャンネル状況情報を受信し、基地局制御器から端末送信電力等級情報を受信するステップと、テーブルから受信した端末送信電力等級に対応した総送信電力を読み出し、逆方向チャンネル状況情報及び総送信電力を考慮して端末機のデータレートを決定するステップと、を備える。【選択図】  図７
2004215276.tif 000002
【特許請求の範囲】
【請求項１】
基地局制御器と、前記基地局制御器に端末送信電力等級情報を伝送する端末機と、前記送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の逆方向チャンネル状況情報を受信し、前記基地局制御器から端末送信電力等級情報を受信するステップと、
前記テーブルから前記受信した端末送信電力等級に対応した総送信電力を読み出し、前記逆方向チャンネル状況情報及び前記総送信電力を考慮して前記端末機のデータレートを決定するステップと、
を備えることを特徴とする方法。
【請求項２】
前記端末機の逆方向チャンネル状況情報は、前記端末機の送信電力情報である請求項１記載の方法。
【請求項３】
前記総送信電力及び送信電力情報を利用して前記端末機の送信電力マージン情報を算出し、前記送信電力情報及び送信電力マージン情報を考慮して前記端末機のデータレートを決定する請求項２記載の方法。
【請求項４】
基地局制御器と、前記基地局制御器に端末送信電力等級情報を伝送する端末機と、前記送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の送信電力マージン情報を受信し、前記基地局制御器から端末送信電力等級情報を受信するステップと、
前記テーブルから前記受信した端末送信電力等級に対応した総送信電力を読み出し、前記送信電力マージン情報及び前記総送信電力を考慮して前記端末機のデータレートを決定するステップと、
を備えることを特徴とする方法。
【請求項５】
前記総送信電力及び送信電力情報を利用して前記端末機の送信電力マージン情報を算出し、前記送信電力情報及び送信電力マージン情報を考慮して前記端末機のデータレートを決定する請求項４記載の方法。 
【請求項６】
端末機と、前記端末機の送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の逆方向チャンネル状況情報及び端末送信電力等級情報を受信するステップと、
前記テーブルから前記受信した端末送信電力等級に対応した総送信電力を読み出し、前記逆方向チャンネル状況情報及び前記総送信電力を考慮して前記端末機のデータレートを決定するステップと、
を備えることを特徴とする方法。
【請求項７】
前記端末機の逆方向チャンネル状況情報は、前記端末機の送信電力情報である請求項６記載の方法。
【請求項８】
前記総送信電力及び送信電力情報を利用して前記端末機の送信電力マージン情報を算出し、前記送信電力情報及び送信電力マージン情報を考慮して前記端末機のデータレートを決定する請求項７記載の方法。
【請求項９】
端末機と、前記端末機の送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の送信電力マージン情報及び端末送信電力等級情報を受信するステップと、
前記テーブルから前記受信した端末送信電力等級に対応した総送信電力を読み出し、前記送信電力マージン情報及び前記総送信電力を考慮して前記端末機のデータレートを決定するステップと、
を備えることを特徴とする方法。
【請求項１０】
基地局制御器に端末送信電力等級情報を伝送する端末機と、前記端末機の送信電力等級に対応する総送信電力を貯蔵するテーブルを含む基地局制御器と、前記端末機の向上された逆方向専用チャンネルサービスを支援する基地局とを備える移動通信システムで前記基地局が前記向上された逆方向専用チャンネルサービスのための前記端末機のデータレートを決定する方法において、
前記端末機から前記端末機の逆方向チャンネル状況情報を受信し、前記基地局制御器から前記端末機の総送信電力を受信するステップと、
前記受信した逆方向チャンネル状況情報及び総送信電力を考慮して前記端末機のデータレートを決定するステップと、
を備えることを特徴とする方法。
【請求項１１】
前記端末機の逆方向チャンネル状況情報は、前記端末機の送信電力情報である請求項１０記載の方法。
【請求項１２】
前記総送信電力及び送信電力情報を利用して前記端末機の送信電力マージン情報を算出し、前記送信電力情報及び送信電力マージン情報を考慮して前記端末機のデータレートを決定する請求項１１記載の方法。
【請求項１３】
基地局制御器に端末送信電力等級情報を伝送する端末機と、前記端末機の送信電力等級に対応する総送信電力を貯蔵するテーブルを含む基地局制御器と、前記端末機の向上された逆方向専用チャンネルサービスを支援する基地局とを備える移動通信システムで前記基地局が前記向上された逆方向専用チャンネルサービスのための前記端末機のデータレートを決定する方法において、
前記端末機から前記端末機の送信電力マージン情報を受信し、前記基地局制御器から総送信電力を受信するステップと、
前記送信電力マージン情報及び前記総送信電力を考慮して前記端末機のデータレートを決定するステップと、
を備えることを特徴とする方法。
【請求項１４】
端末機と、前記端末機の向上された逆方向専用チャンネルサービスを支援する基地局とを備える移動通信システムで前記基地局が前記向上された逆方向専用チャンネルサービスのための前記端末機のデータレートを決定する方法において、
前記端末機から前記端末機の送信電力情報及び送信電力マージン情報を受信するステップと、
前記送信電力情報及び送信電力マージン情報を考慮して前記端末機のデータレートを決定するステップと、
を備えることを特徴とする方法。
【請求項１５】
基地局制御器と、前記基地局制御器に端末送信電力等級情報を伝送する端末機と、前記送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の逆方向チャンネル状況情報を受信し、前記基地局制御器から前記端末機の最大許容逆方向送信電力情報を受信するステップと、
前記受信した逆方向チャンネル状況情報及び最大許容逆方向送信電力情報を考慮して前記端末機のデータレートを決定するステップと、
を備えることを特徴とする方法。
【請求項１６】
前記端末機の逆方向チャンネル状況情報は、前記端末機の送信電力情報である請求項１５記載の方法。
【請求項１７】
前記最大許容逆方向送信電力情報及び送信電力情報を利用して前記端末機の送信電力マージン情報を算出し、前記送信電力情報及び送信電力マージン情報を考慮して前記端末機のデータレートを決定する請求項１６記載の方法。
【請求項１８】
基地局制御器と、前記基地局制御器に端末送信電力等級情報を伝送する端末機と、前記送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の送信電力マージン情報を受信し、前記基地局制御器から前記端末機の最大許容逆方向送信電力情報を受信するステップと、
前記受信した送信電力マージン情報及び最大許容逆方向送信電力情報を考慮して前記端末機のデータレートを決定するステップと、
を備えることを特徴とする方法。
【請求項１９】
前記最大許容逆方向送信電力マージン情報を利用して前記端末機の送信電力情報を算出し、前記送信電力情報及び送信電力マージン情報を考慮して前記端末機のデータレートを決定する請求項１８記載の方法。
【請求項２０】
端末機と、前記端末機の送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の逆方向チャンネル状況情報を受信し、前記基地局制御器から最大許容逆方向送信電力情報及び端末送信電力等級情報を受信するステップと、
前記受信した端末送信電力等級に対応した総送信電力情報を読み出し、前記最大許容逆方向送信電力情報及び総送信電力情報のうちで最小値を有する情報と前記逆方向チャンネル状況情報とを考慮して、前記端末機のデータレートを決定するステップと、
を備えることを特徴とする方法。
【請求項２１】
前記端末機の逆方向チャンネル状況情報は、前記端末機の送信電力情報である請求項２０記載の方法。
【請求項２２】
前記最大許容逆方向送信電力情報及び総送信電力情報のうちで最小値を有する情報と前記送信電力情報とを利用して、前記端末機の送信電力マージン情報を算出し、前記送信電力情報及び送信電力マージン情報を考慮して前記端末機のデータレートを決定する請求項２１記載の方法。
【請求項２３】
端末機と、前記端末機の送信電力等級に対応する総送信電力を貯蔵するテーブルとを備え、前記端末機の向上された逆方向専用チャンネルサービスを支援する基地局を備える移動通信システムで前記基地局が前記向上された逆方向専用チャンネルサービスのための前記端末機のデータレートを決定する方法において、
前記端末機から前記端末機の送信電力マージン情報を受信し、前記基地局制御器から最大許容逆方向送信電力情報及び端末送信電力等級情報を受信するステップと、
前記受信した端末送信電力等級に対応した総送信電力情報を読み出し、前記最大許容逆方向送信電力情報及び総送信電力情報のうちで最小値を有する情報と前記送信電力マージン情報とを考慮して、前記端末機のデータレートを決定するステップと、
を備えることを特徴とする方法。
【請求項２４】
前記最大許容逆方向送信電力情報及び総送信電力情報のうちで最小値を有する情報と前記送信電力マージン情報とを利用して、前記端末機の送信電力情報を算出し、前記送信電力情報及び送信電力マージン情報を考慮して前記端末機のデータレートを決定する請求項２３記載の方法。
【発明の詳細な説明】
【技術分野】
【０００１】
本発明は、向上された逆方向専用チャンネルサービスを支援する移動通信システムに関し、特に、基地局が端末機に対する制御スケジューリングの遂行において、基地局(Ｎｏｄｅ Ｂ)が端末機(user equipment；ＵＥ)の向上された逆方向専用チャンネルサービスのためのデータレートを決定する方法に関する。
【背景技術】
【０００２】
本発明は、非同期広帯域符号分割多重接続（Wideband Code Division Multiple Access；以下、“ＷＣＤＭＡ”と略称する。）通信システムで向上された逆方向専用チャンネル（Enhanced Uplink Dedicated Channel；以下、“ＥＵＤＣＨ”と略称する。）が使用される状況を仮定する。前記ＥＵＤＣＨは、非同期方式の符号分割多重接続通信システムで逆方向通信においてパケット伝送の性能を改善するために提案されたチャンネルである。前記ＥＵＤＣＨ技術には、既存の高速順方向パケット接続方式（High Speed Downlink Packet Access；以下、“ＨＳＤＰＡ”と略称する。）ですでに使用されているＡＭＣ(Adaptive Modulation and Coding)及びＨＡＲＱ(Hybrid Automatic Retransmission Request)方法とともに、より短くなった送信時間区間（transmission time interval；以下、“ＴＴＩ”と略称する。）の新たな技術が使用されることができる。前記ＴＴＩは、物理チャンネルで１つのデータブロックが伝送される単位で定義することができる。また、ＨＳＤＰＡで順方向チャンネルのスケジューリングを無線網制御部（Radio Network Controller；以下、“ＲＮＣ”と略称する。）ではない基地局（以下、“Ｎｏｄｅ Ｂ”と称する。）で遂行したもののように、逆方向チャンネルのスケジューリングも基地局で制御する方法が使用される。もちろん、Ｎｏｄｅ Ｂの逆方向制御スケジューリングは、Ｎｏｄｅ Ｂの順方向制御スケジューリングとは大きな差異を有する。
【０００３】
図１は、ＥＵＤＣＨが使用される状況に対する基本概念図を示している。図１において、参照番号１００はＥＵＤＣＨを支援するＮｏｄｅ Ｂを示し、参照番号１０１乃至１０４は、ＥＵＤＣＨを伝送する端末機を示す。前記Ｎｏｄｅ Ｂ１００は、ＥＵＤＣＨを使用するＵＥのチャンネル状況を分析して各ＵＥに適切なスケジューリングを遂行する。スケジューリングは、システム全体の性能を高めるために、Ｎｏｄｅ Ｂの測定雑音増加(Noise Rise)値が目標雑音増加値を超過しないようにしつつ、Ｎｏｄｅ Ｂから遠くにあるＵＥには低いデータレートを割り当て、近くにあるＵＥには高いデータレートを割り当てる方式にて遂行される。
【０００４】
図２を参照してＥＵＤＣＨの送受信の基本手順を説明する。図２は、ＥＵＤＣＨを伝送しているＵＥ２０２と前記ＵＥ２０２が属しているＮｏｄｅ Ｂ２０１との間の送受信手順を示す。前記Ｎｏｄｅ Ｂ２０１及びＵＥ２０２は、ステップ２０３でＥＵＤＣＨの送受信設定(setup)を遂行する。前記設定過程は、専用伝送チャンネル(Dedicated Transport Channel)を通じたメッセージの伝達過程を含む。ステップ２０３でＥＵＤＣＨの設定が行われた後に、ステップ２０４で、ＵＥ２０２は、Ｎｏｄｅ Ｂ２０１にスケジューリング情報を通報する。ステップ２０４で伝送したスケジューリング情報は、逆方向チャンネル情報を認知できるＵＥの送信電力情報、ＵＥが伝送することができる送信電力マージン情報またはＵＥのバッファに貯蔵されている送信データの量を含むことができる。複数のＵＥから前記スケジューリング情報を受信したＮｏｄｅ Ｂ２０１は、ステップ２１１で前記ＵＥの前記スケジューリング情報をモニタリングしつつ各ＵＥをスケジューリングする。スケジューリング方法はＮｏｄｅ Ｂ２０１に基づいて異なることができ、前記スケジューリング方法の具体的な例は下記で説明する。
【０００５】
ステップ２１１の過程に従って、Ｎｏｄｅ Ｂ２０１がＵＥ２０２にスケジューリングしようと決定した場合には、ステップ２０５で、Ｎｏｄｅ Ｂ２０１は、ＵＥ２０２にスケジューリング割当て情報を伝送する。そうすると、ＵＥ２０２は、ステップ２０７で、ステップ２０５のスケジューリング割当て情報に含まれている割り当てられたデータレート及び伝送タイミングなどを利用してＥＵＤＣＨを伝送する。ステップ２０７のＥＵＤＣＨのリソース情報である伝送フォーマットリソースインジケータ（Transport Format Resource Indicator；以下、“ＴＦＲＩ”と略称する。）は、ステップ２０６のようにステップ２０７のＥＵＤＣＨとともにＮｏｄｅ Ｂ２０１に伝送される。ステップ２０６及びステップ２０７のチャンネルを受信したＮｏｄｅ Ｂ２０１は、ステップ２０６のＴＦＲＩ及びステップ２０７のＥＵＤＣＨでエラーがあるか否かを判断する。ステップ２０６のＴＦＲＩまたはステップ２０７のＥＵＤＣＨのうちいずれか１つでもエラーがある場合に、Ｎｏｄｅ Ｂ２０１は、ステップ２０８でＮＡＣＫ情報をＡＣＫ／ＮＡＣＫチャンネルを通じてＵＥ２０２に伝送する。しかし、ステップ２０６のＴＦＲＩ及びステップ２０７のＥＵＤＣＨにエラーがない場合、Ｎｏｄｅ Ｂ２０１は、ステップ２０８でＡＣＫ情報をＡＣＫ／ＮＡＣＫチャンネルを通じてＵＥ２０２に伝送するようになる。
【０００６】
一方、Ｎｏｄｅ Ｂ２０１は、ステップ２０４で受信したスケジューリング情報に基づいてＵＥに指定するデータレートを定める。前記過程において、Ｎｏｄｅ Ｂは、ＥＵＤＣＨを使用する複数のＵＥに適当なデータレート及び伝送タイミングなどを割り当てなければならないが、前記スケジューリングにおいて逆方向の雑音増加値が目標雑音増加値を超過しないように各ＵＥにリソースを割り当てるようになる。もちろん、システム全体の性能向上のためにチャンネル状況がよいＵＥにさらに多いリソースを割り当てるようになる。
【０００７】
下記では、ＥＵＤＣＨの送受信において、Ｎｏｄｅ ＢがＵＥをスケジューリングする手順に対して説明する。前述したように、Ｎｏｄｅ Ｂは、雑音増加値が目標雑音増加値を超過しないようにすると同時に、Ｎｏｄｅ Ｂの収容容量(Capacity)が最大になるように複数のＵＥのＥＵＤＣＨ送信をスケジューリングする。Ｎｏｄｅ Ｂは、ステップ２０４で各ＵＥから受信したスケジューリング情報を利用して前記のようなスケジューリングを遂行する。ステップ２０４のスケジューリング情報は、下記２つの方法が使用されることができる。
【０００８】
一番目に、各ＵＥが自分の送信電力値をＮｏｄｅ Ｂに知らせる方法がある。また、ＵＥは、前記ＵＥのバッファに貯蔵されているデータ量(Quantity size)もＮｏｄｅ Ｂに通報できる。前記方法の場合、Ｎｏｄｅ Ｂは、ＵＥの送信電力を利用して各ＵＥが直面した状況での逆方向チャンネル状況を推定できる。これによって、各ＵＥに適当なリソースを割り当てることができる。
【０００９】
以下、図１を参照してより具体的な方法を説明する。図１において、ＵＥ１０１乃至１０４は、それぞれＮｏｄｅ Ｂ１００と距離が相互に異なり、ＵＥ１０１がＮｏｄｅ Ｂ１０１に一番近く、ＵＥ１０４が Ｎｏｄｅ Ｂ１０１から一番遠い。この場合、ＵＥ１０１は、逆方向チャンネルの電力強度が一番小さく(最も細い矢印１１１で表示)、ＵＥ１０４は、逆方向チャンネルの電力強度が一番大きい(最も太い矢印１１４で表示)。従って、同一の測定雑音増加値を保持しつつ一番高い性能を得るための方法として、電力強度とデータレート(data rate)とを反比例するようにスケジューリングする。すなわち、前記ＵＥ１０１のようにＮｏｄｅ Ｂとの距離が近くて逆方向送信電力が小さいＵＥには、一番大きいデータレートを割り当てるようにスケジューリングし、ＵＥ１０４のようにＮｏｄｅ Ｂとの距離が遠くて逆方向送信電力が大きくなるＵＥには小さいデータレートを割り当てる。前述したような方法を最大チャンネル情報指示（Maximum CQI(Channel Quality Indicator)）スケジューリングと呼ぶ。しかし、このような方法において、Ｎｏｄｅ Ｂは、各ＵＥが使用可能な送信電力マージン情報がなくてスケジューリングの柔軟性を損なう可能性がある。
【００１０】
すなわち、逆方向チャンネル環境がよいＵＥに多いリソースを割り当てるとしても、前記ＵＥの送信電力マージンが不十分であれば、割り当てられたリソースだけを利用することができなくなる。例えば、前記ＵＥ１０１のように、前記ＵＥが前記Ｎｏｄｅ Ｂ１００の近くに位置するので、小さい逆方向送信電力でデータ伝送が可能である。また、相対的に大きいデータレートを割り当ててデータを伝送することが可能であるが、前記ＵＥの送信電力マージンが不十分である場合、前記逆方向チャンネル特性によってＮｏｄｅ Ｂ１００が決定した最大リソースを利用できない状況が発生する。すなわち、前述したように、前記Ｎｏｄｅ Ｂ１００が前記ＵＥ１０１の使用可能な電力マージンに対する情報を保有していないので、前記ＵＥ１０１にどのぐらいのリソースを割り当てなければならないのかを効果的に判断できない。
【００１１】
二番目に、前記スケジューリング情報でＵＥの送信電力マージンを判断する方法がある。ＵＥは、自分が使用できる余分の電力量をＮｏｄｅ Ｂに通報し、複数のＵＥから前記送信電力マージンを受信した前記Ｎｏｄｅ Ｂは、セル性能の効率を高めることができるようにスケジューリングを通じてＵＥにリソースを割り当てる方式である。
【００１２】
しかし、前記のような方法では、Ｎｏｄｅ Ｂが各ＵＥの正確なチャンネル状況を感知することができない。すなわち、ＵＥがＮｏｄｅ Ｂに伝送する送信電力マージン情報は、前記ＵＥの逆方向チャンネル状況情報を有していない。従って、チャンネル状況に応じてスケジューリングを遂行する最大チャンネル情報指示スケジューリング方法を使用することができない。
【００１３】
例えば、前記方法によると、前記ＵＥ１０１乃至１０４から前記Ｎｏｄｅ Ｂ１００に送信電力マージンが伝送されるとき、前記各ＵＥの電力マージンが多いＵＥには相対的に多いリソースを割り当て、前記電力マージンが少ないＵＥには少ないリソースを割り当てるようになる。このような場合には、前記電力マージンが多いＵＥであるとしても、前記ＵＥのチャンネル環境がよくないときには、前記電力マージンを考慮しただけのリソースを十分に割り当てることができない。すなわち、前記電力マージンだけの十分なリソースを割り当てるとしても、前記のようにチャンネル環境がよくないので正常的なデータの送受信が難しい。これにより、チャンネル容量の減少を発生させる。
【００１４】
前述したように、Ｎｏｄｅ Ｂは、スケジューリングを通じてＥＵＤＣＨを使用するＵＥにリソースを割り当てる。前記スケジューリングは、ＵＥが逆方向に伝達するスケジューリング情報を利用して遂行するようになる。前述した２つの従来方法は、最適化のスケジューリングのための情報が不足な状況である。従って、前記Ｎｏｄｅ ＢがＥＵＤＣＨを使用するＵＥにリソースを割り当てるスケジューリングがさらに効率的に遂行されてシステム性能を最大にする方案が要求される。
【発明の開示】
【発明が解決しようとする課題】
【００１５】
上記背景に鑑みて、本発明の目的は、ＥＵＤＣＨを支援するＵＥに対して制御スケジューリングを遂行するのに必要なスケジューリング情報をＵＥ及びＲＮＣがＮｏｄｅ Ｂにシグナリングする方法を提供することにある。
【課題を解決するための手段】
【００１６】
このような目的を達成するために、本発明によれば、ＲＮＣと、前記ＲＮＣに端末送信電力等級情報を伝送するＵＥと、前記送信電力等級に対応する総送信電力を貯蔵するテーブルとを備え、前記ＵＥの向上された逆方向専用チャンネルサービスを支援するＮｏｄｅ Ｂを備える移動通信システムで前記Ｎｏｄｅ Ｂが前記向上された逆方向専用チャンネルサービスのための前記ＵＥのデータレートを決定する方法において、前記ＵＥから前記ＵＥの逆方向チャンネル状況情報を受信し、前記ＲＮＣから端末送信電力等級情報を受信するステップと、前記テーブルから前記受信した端末送信電力等級に対応した総送信電力を読み出し、前記逆方向チャンネル状況情報及び前記総送信電力を考慮して前記ＵＥのデータレートを決定するステップと、を備えることを特徴とする。
望ましくは、前記ＵＥの逆方向チャンネル状況情報は、前記ＵＥの送信電力情報であることを特徴とする。
さらに、前記総送信電力及び送信電力情報を利用して前記ＵＥの送信電力マージン情報を算出し、前記送信電力情報及び送信電力マージン情報を考慮して前記ＵＥのデータレートを決定することを特徴とする。
【００１７】
また、このような目的を達成するために、本発明によれば、ＲＮＣと、前記ＲＮＣに端末送信電力等級情報を伝送するＵＥと、前記送信電力等級に対応する総送信電力を貯蔵するテーブルとを備え、前記ＵＥの向上された逆方向専用チャンネルサービスを支援するＮｏｄｅ Ｂを備える移動通信システムで前記Ｎｏｄｅ Ｂが前記向上された逆方向専用チャンネルサービスのための前記ＵＥのデータレートを決定する方法において、前記ＵＥから前記ＵＥの送信電力マージン情報を受信し、前記ＲＮＣから端末送信電力等級情報を受信するステップと、前記テーブルから前記受信した端末送信電力等級に対応した総送信電力を読み出し、前記送信電力マージン情報及び前記総送信電力を考慮して前記ＵＥのデータレートを決定するステップと、を備えることを特徴とする。
【００１８】
さらに、このような目的を達成するために、本発明によれば、ＵＥと、前記ＵＥの送信電力等級に対応する総送信電力を貯蔵するテーブルとを備え、前記ＵＥの向上された逆方向専用チャンネルサービスを支援するＮｏｄｅ Ｂを備える移動通信システムで前記Ｎｏｄｅ Ｂが前記向上された逆方向専用チャンネルサービスのための前記ＵＥのデータレートを決定する方法において、前記ＵＥから前記ＵＥの逆方向チャンネル状況情報及び端末送信電力等級情報を受信するステップと、前記テーブルから前記受信した端末送信電力等級に対応した総送信電力を読み出し、前記逆方向チャンネル状況情報及び前記総送信電力を考慮して前記ＵＥのデータレートを決定するステップと、を備えることを特徴とする。
望ましくは、前記ＵＥの逆方向チャンネル状況情報は、前記ＵＥの送信電力情報であることを特徴とする。
さらに、前記総送信電力及び送信電力情報を利用して前記ＵＥの送信電力マージン情報を算出し、前記送信電力情報及び送信電力マージン情報を考慮して前記ＵＥのデータレートを決定することを特徴とする。
【００１９】
さらにまた、このような目的を達成するために、本発明によれば、ＵＥと、前記ＵＥの送信電力等級に対応する総送信電力を貯蔵するテーブルとを備え、前記ＵＥの向上された逆方向専用チャンネルサービスを支援するＮｏｄｅ Ｂを備える移動通信システムで前記Ｎｏｄｅ Ｂが前記向上された逆方向専用チャンネルサービスのための前記ＵＥのデータレートを決定する方法において、前記ＵＥから前記ＵＥの送信電力マージン情報及び端末送信電力等級情報を受信するステップと、前記テーブルから前記受信した端末送信電力等級に対応した総送信電力を読み出し、前記送信電力マージン情報及び前記総送信電力を考慮して前記ＵＥのデータレートを決定するステップと、を備えることを特徴とする。
【００２０】
さらにまた、このような目的を達成するために、本発明によれば、ＲＮＣに端末送信電力等級情報を伝送するＵＥと、前記ＵＥの送信電力等級に対応する総送信電力を貯蔵するテーブルを含むＲＮＣと、前記ＵＥの向上された逆方向専用チャンネルサービスを支援するＮｏｄｅ Ｂとを備える移動通信システムで前記Ｎｏｄｅ Ｂが前記向上された逆方向専用チャンネルサービスのための前記ＵＥのデータレートを決定する方法において、前記ＵＥから前記ＵＥの逆方向チャンネル状況情報を受信し、前記ＲＮＣから前記ＵＥの総送信電力を受信するステップと、前記受信した逆方向チャンネル状況情報及び総送信電力を考慮して前記ＵＥのデータレートを決定するステップと、を備えることを特徴とする。
望ましくは、前記ＵＥの逆方向チャンネル状況情報は、前記ＵＥの送信電力情報であることを特徴とする。
さらに、前記総送信電力及び送信電力情報を利用して前記ＵＥの送信電力マージン情報を算出し、前記送信電力情報及び送信電力マージン情報を考慮して前記ＵＥのデータレートを決定することを特徴とする。
【００２１】
さらにまた、このような目的を達成するために、本発明によれば、ＲＮＣに端末送信電力等級情報を伝送するＵＥと、前記ＵＥの送信電力等級に対応する総送信電力を貯蔵するテーブルを含むＲＮＣと、前記ＵＥの向上された逆方向専用チャンネルサービスを支援するＮｏｄｅ Ｂとを備える移動通信システムで前記Ｎｏｄｅ Ｂが前記向上された逆方向専用チャンネルサービスのための前記ＵＥのデータレートを決定する方法において、前記ＵＥから前記ＵＥの送信電力マージン情報を受信し、前記ＲＮＣから総送信電力を受信するステップと、前記送信電力マージン情報及び前記総送信電力を考慮して前記ＵＥのデータレートを決定するステップと、を備えることを特徴とする。
【００２２】
さらにまた、このような目的を達成するために、本発明によれば、ＵＥと、前記ＵＥの向上された逆方向専用チャンネルサービスを支援するＮｏｄｅ Ｂとを備える移動通信システムで前記Ｎｏｄｅ Ｂが前記向上された逆方向専用チャンネルサービスのための前記ＵＥのデータレートを決定する方法において、前記ＵＥから前記ＵＥの送信電力情報及び送信電力マージン情報を受信するステップと、前記送信電力情報及び送信電力マージン情報を考慮して前記ＵＥのデータレートを決定するステップと、を備えることを特徴とする。
【発明の効果】
【００２３】
本発明は、ＥＵＤＣＨを使用するシステムにおいて、本発明を通じてＵＥ、Ｎｏｄｅ Ｂ、及びＲＮＣの間でＮｏｄｅ Ｂがスケジューリングを遂行するための情報を効果的に受け取ることができ、前記Ｎｏｄｅ Ｂが担当するスケジューリングがさらに効率的であり最適化されることができ、従って、前記システムの全体的な性能が増加する。
【発明を実施するための最良の形態】
【００２４】
以下、本発明の好適な実施形態について添付図を参照しつつ詳細に説明する。下記説明において、本発明の要旨のみを明瞭にするために公知の機能又は構成に対する詳細な説明は省略する。なお、図面中、同一な構成要素及び部分には、可能な限り同一な符号及び番号を共通に使用するものとする。
【００２５】
本発明は、広帯域符号分割多重接続通信システム(ＷＣＤＭＡ)で向上された逆方向専用チャンネル(ＥＵＤＣＨ)が使用されることを仮定する。前記向上された(enhanced)逆方向専用チャンネルは、従来技術で説明したように、ＨＡＲＱ、ＡＭＣ、Ｎｏｄｅ Ｂスケジューリング、及び短いＴＴＩの長さなどを特徴とする。
【００２６】
本発明は、前記ＥＵＤＣＨに新たに適用される技術のうちＮｏｄｅ Ｂ制御スケジューリング及び短いＴＴＩの長さを支援するシステムを仮定する。前記“短いＴＴＩの長さ”は、既存の専用データチャンネルのＴＴＩが最小１０ｍｓであることに比べて２ｍｓ、３．３３ｍｓなどの長さのようにさらに短い長さのＴＴＩを使用することを意味する。ＴＴＩが短くなることは、伝送しようとするデータブロック、すなわち、伝送データの単位が短くなることを意味する。前記のように伝送データの単位が短くなれば、それに比例してスケジューリングを迅速に遂行しなければならないので、Ｎｏｄｅ Ｂによるスケジューリングに適している。もちろん、既存の１０ｍｓ ＴＴＩが使用される環境でも本発明は同一に適用されることができる。
【００２７】
前記“Ｎｏｄｅ Ｂの制御スケジューリング”とは、従来技術で説明したように、Ｎｏｄｅ Ｂが逆方向のパケットチャンネルをスケジューリングすることを意味する。言い換えれば、前記Ｎｏｄｅ Ｂは、前記Ｎｏｄｅ Ｂに含まれているＥＤＵＣＨを支援する複数のＵＥの送信状況またはチャンネル状況を推定する。前記推定された送信状況またはチャンネル状況を通じて、前記Ｎｏｄｅ Ｂは前記各ＵＥに割り当てられるリソースを定めるようになる。前記リソースは、どれくらいの時間の間伝送を許容するかに関する時間リソースと、どちらのデータレートを割り当てるかに関するリソースとを含む。
【００２８】
スケジューリングを遂行するとき、前記Ｎｏｄｅ ＢがＵＥの送信電力マージン、ＵＥのバッファに貯蔵されているデータ量、または前記ＵＥの逆方向チャンネル状況情報が必要である。従来技術で短所として指摘したように、Ｎｏｄｅ ＢがＵＥの送信電力マージンに関する情報を有しているが、前記ＵＥの逆方向チャンネル状況情報を有していないと、スケジューリングの効率が低下する。反対に、Ｎｏｄｅ ＢがＵＥの逆方向チャンネル状況情報を有しているが、前記ＵＥの送信電力マージンの情報を有していない場合にもスケジューリングの効率が低下する。
【００２９】
すなわち、前記Ｎｏｄｅ ＢがＥＤＵＣＨを支援する各ＵＥに対する最適化のスケジューリングを遂行するためには、前記ＵＥの送信電力マージン及び逆方向チャンネル情報をすべて考慮しなければならない。
従って、本発明は、前記ＵＥが有している前記２通りの情報を一番効率的にＮｏｄｅ Ｂにシグナリングを通じて通報することにより、Ｎｏｄｅ Ｂのスケジューリングの最適化を提供することにその目的がある。
【００３０】
前記２通りの情報をＮｏｄｅ Ｂに伝送する方法として、まず、前記ＵＥが前記２通りの情報のすべてを、直接物理チャンネルを通じて前記Ｎｏｄｅ Ｂに伝送する方法が提示されることができる。前記方法は、第１実施例を参照して後述する。
一方、前記２通りの情報、すなわち、逆方向チャンネル情報としての送信電力情報及び送信電力マージン情報は、下記式１のような関係が成立する。
【００３１】
Ｔｘｐｏｗｅｒ＋Ｔｘｍａｒｇｉｎ＝Ｔｘｔｏｔａｌ＿ｐｏｗｅｒ             ・・・(１)
【００３２】
前記式１を参照すると、総送信電力(Total Power)は、前記送信電力と送信電力マージン値との和で表現されることができる。
しかし、前記総送信電力の値は、各ＵＥの性能に従って各ＵＥがＲＮＣに伝送する前記ＵＥの送信電力等級情報によって決定されることができる。すなわち、各ＵＥは、端末送信電力等級(power class)が１つで定められ、これは、前記式１において、ＵＥの総送信電力値がＵＥ別に定められていることを意味する。従って、Ｎｏｄｅ Ｂが前記端末送信電力等級情報による総送信電力を決定することができると、ＵＥの送信電力情報及び送信電力マージン情報をすべてＮｏｄｅ Ｂに伝送する必要なく、２通りの情報のうち１つのみをＮｏｄｅ Ｂに伝送することにより、２通りの情報をすべて有することができる効果を得ることができる。
【００３３】
このとき、前記総送信電力は、下記で説明する端末送信電力等級に従う総送信電力の関係を示すテーブルによって決定される。一方、前記テーブルは通常にＲＮＣに備えられているが、前記テーブルの値をＮｏｄｅ Ｂに備えると、前記Ｎｏｄｅ Ｂから総送信電力を得ることができる。
【００３４】
すなわち、前記ＲＮＣがＵＥから受信した送信電力等級をＮＢＡＰ(Node B Application Part)メッセージを通じて前記Ｎｏｄｅ Ｂに伝送し、前記Ｎｏｄｅ Ｂは、前記送信電力等級に従う総送信電力を前記テーブルから読み出して求めることができる。前記Ｎｏｄｅ Ｂが前記テーブルを備えて、前記送信電力等級から総送信電力を求める方法は、下記第２実施例及び第３実施例でより具体的に説明する。
【００３５】
また、前記送信電力等級情報を前記ＲＮＣから受信せず、前記ＵＥから直接受信した方法も考慮されることができる。すなわち、前記ＵＥが前記Ｎｏｄｅ Ｂに前記送信電力等級情報を伝送すると、前記Ｎｏｄｅ Ｂは、追加に備えられた前記テーブルを利用して前記送信電力等級情報から前記総送信電力を読み出すことができる。その後に、前記ＵＥから受信した送信電力情報または送信電力マージン情報及び前記総送信電力情報から前記ＵＥの伝送データレートを効率的にスケジューリングすることができる。前記方法による具体的な説明は、第４実施例及び第５実施例を参照して後述する。
【００３６】
前述した方法において、Ｎｏｄｅ Ｂから送信電力等級情報を受信して総送信電力を求める方法は、前記２通りの情報の相関値を貯蔵するテーブルが前記Ｎｏｄｅ Ｂに必須に備えなければならない。従って、前記ＲＮＣに通常に貯蔵されている前記テーブルを利用して総送信電力を読み出し、前記送信電力等級情報の代わりに前記読み出された総送信電力情報を前記Ｎｏｄｅ Ｂに通報すると、前記Ｎｏｄｅ Ｂは、前記テーブルを備える必要がなくなる。前記方法は、下記第６実施例及び第７実施例を参照して具体的に説明する。
【００３７】
本発明による前記２通りの情報、すなわち、ＵＥの送信電力情報(またはＵＥの送信電力マージン情報)及びＵＥの総送信電力情報を一番効率的にＮｏｄｅ Ｂにシグナリングする第１乃至第７実施例を、図４乃至図１０を参照して説明する。
【００３８】
[第１実施例]
第１実施例は、前述した２通りの情報を、物理チャンネルを通じて直接Ｎｏｄｅ Ｂに伝送する方式を説明する。前記２通りの情報は、前述したように、ＵＥの逆方向チャンネル状況情報及びＵＥの送信電力マージン情報を意味する。前記逆方向チャンネル状況情報は、ＵＥの送信電力情報、または前記チャンネル状況情報を含む他の情報を示すことができる。図４を参照して第１実施例を後述する。
【００３９】
図４は、ＥＵＤＣＨを使用するシステムを概略的に示す。ＲＮＣ４０１は、１個以上のＮｏｄｅ Ｂを管理しており、説明の便宜のために、１つのＮｏｄｅ Ｂ４０２のみを示す。また、前記Ｎｏｄｅ Ｂ４０２のセル領域４１０にあるＵＥ４０３は、前記Ｎｏｄｅ Ｂ４０２とＥＵＤＣＨとの送受信を遂行している。図２を通じて説明したＥＵＤＣＨの送受信を遂行する基本手順を参照すると、前記ＵＥ４０３から前記Ｎｏｄｅ Ｂ４０２に伝送するスケジューリング情報は、前記ＵＥの逆方向チャンネル状況情報及びＵＥの送信電力マージン情報を含む。すなわち、図４において、ＵＥ４０３は、端末送信電力(Tx Power)４０４のような逆方向チャンネル状況情報をＮｏｄｅ Ｂ４０２に物理チャンネルを通じて伝送する。また、前記ＵＥ４０３は、前記ＵＥ４０３の送信電力マージン情報をＮｏｄｅ Ｂ４０２に物理チャンネルを通じて伝送する。前記過程を通じて、Ｎｏｄｅ Ｂ４０２は、ＵＥ４０３の逆方向チャンネル状況情報及び送信電力マージン情報を獲得することができ、スケジューリングをより効率的に遂行してＥＵＤＣＨのシステム性能を向上させる。
【００４０】
前記第１実施例は、物理チャンネルを通じて前記２通りの情報、すなわち、端末送信電力のような逆方向チャンネル状況情報及びＵＥの送信電力マージン情報を同時に伝送する方法を説明した。前記２通りの情報は、前記式１のような関係が成立する。すなわち、前記２通りの情報の和は、ＵＥが伝送できる全体の送信電力になる。
一方、ＷＣＤＭＡ通信システムで使用されるＵＥは、各ＵＥの性能(UE capability)に従って総４通りの送信電力値が定義されており、その値は下記表１に示されている。
【００４１】
【表１】
2004215276.tif 000003
【００４２】
前記表１において、ＵＥの送信電力等級(Power Class)に従ってＵＥの総送信電力及び電力誤差限度が決定される。すなわち、ＵＥの送信電力等級３(Power Class 3)を有するＵＥにおいて、前記ＵＥが使用することができる総送信電力は＋２４ｄＢｍであり、その誤差限度は＋１ｄＢ乃至−３ｄＢになる。前記表１において、“オペレイティングバンド(Operating Band)”は、使用されるＷＣＤＭＡバンドを意味し、３つのバンドに区分されている。現在バージョンのＷＣＤＭＡ通信システムで使用されるＵＥの送信電力等級は、ＵＥの送信電力等級３及びＵＥの送信電力等級４の２つの電力等級のみが定義されている。
【００４３】
前述したように、各ＵＥは、前記表１で定義されたようにＵＥの送信電力等級(power class)が１つで定められる。これは、前記式１において、ＵＥ全体の送信電力値がＵＥ別に異なる値を有することができることを意味する。
【００４４】
従って、Ｎｏｄｅ Ｂが前記ＵＥの送信電力等級情報を有し、前記表１のテーブルを備えると、前記第１実施例で説明したように、ＵＥの送信電力情報及び送信電力マージン情報をすべてＮｏｄｅ Ｂに伝送する必要なく、２通りの情報のうち１つのみをＮｏｄｅ Ｂに伝送することにより、２通りの情報をすべて有する効果を得ることができる。前記のような方法に対する実施例は、第２実施例乃至第５実施例を参照して後述する。
【００４５】
まず、前記ＵＥの送信電力等級情報のシグナリング方法を説明する。
任意のＵＥの端末送信電力等級情報は、端末種類(UE capability)情報に含まれて無線資源制御（Radio Resource Control；以下、“ＲＲＣ”と略称する。）メッセージを通じて前記ＵＥを管理するＲＮＣに伝達される。図３は、ＷＣＤＭＡ通信システムで無線接続システムの構造を示している。図３において、ＲＮＣ３０１がＮｏｄｅ Ｂ３０２、３０３、及び３０４を管理しており、各Ｎｏｄｅ Ｂは１個以上のセルを管理するようになる。このような構造で、Ｎｏｄｅ Ｂ３０２はセル３１１、３１２、及び３１３を有しており、Ｎｏｄｅ Ｂ３０３は、セル３１４、３１５、及び３１６を有しており、Ｎｏｄｅ Ｂ３０４は、セル３１７、３１８、及び３１９を有している形態である。任意のＵＥがセル３１１で通信を遂行していると仮定すると、前記ＵＥは、ＲＲＣメッセージを通じてＲＮＣ３０１に前述した端末種類の情報を伝送するようになる。前記ＲＲＣメッセージは、Ｎｏｄｅ Ｂを通じてＲＮＣに伝達するとしても、Ｎｏｄｅ Ｂは、前記情報を認識することができない。
【００４６】
一方、図５は、前記ＲＲＣメッセージがシグナリングされるフローを示す。図５を参照すると、ＵＥ５０１は、必要な場合には、ステップ５０４でＲＮＣ５０３に“UE capability information”の名称を有するＲＲＣメッセージを伝送する。このとき、Ｎｏｄｅ Ｂ５０２は、前記ＲＲＣメッセージが伝送される過程で引き渡す機能を行うだけ、前記ＲＲＣメッセージを読むかまたは前記情報を有することができない。前記ＲＲＣメッセージを受信したＲＮＣ５０３は、メッセージ受信を確認するために、ステップ５０５で、前記ＵＥ５０１に“UE capability information confirm”の名称を有するＲＲＣメッセージを伝送する。前記過程が終了されると、ＲＮＣ５０３は、前記ＵＥ５０１に対する端末種類(UE capability)情報を獲得することができる。
【００４７】
ここで、前記ＲＲＣメッセージの形態を示す。下記表２は、図５のステップ５０４で伝送した“UE capability information”と呼ばれるＲＲＣメッセージの具体的な情報を示している。下記表２の情報成分(Information Element；以下、“ＩＥ”と略称する。)のうち‘UE radio access capability’メッセージは、下記表３に具体的に示されている。‘UE radio access capability’メッセージに含まれているＩＥのうちで“RF capability FDD”メッセージは、下記表４に具体的に示されており、前記‘RF capability FDD’メッセージに含まれたＩＥのうちでＵＥの電力等級情報が前述したＵＥの総送信電力情報を示している。
【００４８】
表２は、図５のステップ５０５で伝送した“UE capability information confirm”と呼ばれるＲＲＣメッセージの具体的な形態を示している。
【００４９】
【表２】
2004215276.tif 000004
【００５０】
前記表２のＩＥのうち‘UE radio access capability’メッセージは、下記表３で具体的に示されている。
【００５１】
【表３】
2004215276.tif 000005
【００５２】
前記‘UE radio access capability’メッセージに含まれたＩＥのうちで、‘RF capability FDD’メッセージは、下記表４及び表５で具体的に示されており、前記‘RF capability FDD’メッセージに含まれたＩＥのうちで‘ＵＥ電力等級’情報が前述したＵＥの総送信電力情報を示している。
【００５３】
【表４】
2004215276.tif 000006
【００５４】
【表５】
2004215276.tif 000007
【００５５】
これまでは、ＵＥの総送信電力情報が含まれているＵＥの種類情報がＵＥからＲＮＣに伝達される方法を説明した。本発明の第２実施例及び第３実施例は、前記過程を通じてＲＮＣが有するＵＥの総送信電力情報をＲＮＣからＮｏｄｅ Ｂへ伝送するようにしてＵＥが物理チャンネルを通じてＮｏｄｅ Ｂ に伝送する情報を最小化する方法を説明する。
【００５６】
[第２実施例]
下記で第２実施例を説明する。本実施例では、ＵＥは、物理チャンネルを通じて逆方向送信電力のような逆方向チャンネル状況情報のみを伝送するようになる。一方、Ｎｏｄｅ Ｂは、Ｉｕｂシグナリングを通じてＵＥの総送信電力情報をＲＮＣから受信するようになる。Ｉｕｂ接続を通じてシグナリングされるメッセージをＮＢＡＰ(Node B Application Part)メッセージと呼ぶ。新たに定義されるＥＵＤＣＨのために必要なＮＢＡＰメッセージも新たに定義されるか、既存メッセージの変化が必要である。前記ＥＵＤＣＨのために必要なＮＢＡＰメッセージの内に前記ＲＮＣが有しているＵＥの総送信電力情報を含んで伝送するようになる。前記ＵＥもＥＵＤＣＨを使用しようとするＵＥになる。
【００５７】
図７は、第２実施例で提案する方法を具体的に示す図である。図７において、ＵＥ７０３がＥＵＤＣＨサービスを受信しており、ＲＮＣ７０１はＵＥ７０３を管理している。前記ＲＮＣ７０１は、“UE capability information”と呼ばれるＲＲＣメッセージ７０５を通じてＵＥ７０３の端末種類を判断することができ、前記端末種類情報の内に含まれたＵＥの電力等級情報でＵＥ７０３の総送信電力情報を判断することができる。ＥＵＤＣＨサービスが開始される場合、前記ＲＮＣ７０１は、参照番号７０６で示されるように、ＮＢＡＰメッセージを通じてＮｏｄｅ Ｂ７０２に前記ＲＮＣ７０１が有している前記ＵＥ７０３の総送信電力情報を伝送するようになる。ＵＥ７０３は、ＥＵＤＣＨを送信するとき、物理チャンネルを利用して前記ＵＥ７０３の逆方向チャンネル状況情報を示す送信電力情報７０４を前記Ｎｏｄｅ Ｂ７０２に周期的に伝送するようになる。そうすると、前記Ｎｏｄｅ Ｂ７０２は、前記ＵＥ７０３の総送信電力情報７０６及び現在送信電力情報７０４を獲得するようになって、前記式１を通じて前記ＵＥ７０３の送信電力マージン情報を得ることができる。従って、前述したように、前記Ｎｏｄｅ Ｂ７０２は、ＵＥの送信電力情報及び送信電力マージン情報をすべて獲得することができ、これにより、より効率的であり最適化のスケジューリングが可能になる。
【００５８】
前記ＲＮＣがＮｏｄｅ ＢにＵＥの総送信電力情報をＮＢＡＰメッセージを通じて伝送する場合２つの方法が可能になる。一番目の方法は、本発明の第２実施例でのように前記メッセージを通じてＵＥの電力等級情報を伝送する方法である。すなわち、２ビットのみを利用して４つの等級のうち１つを伝送することである。図６Ａは、前記メッセージを伝送する手順を示す。ＲＮＣ６０２は、ステップ６０３で、Ｎｏｄｅ Ｂ６０１にＮＢＡＰメッセージ６０３を伝送するようになるが、このとき、ＮＢＡＰメッセージはＵＥの電力等級情報を含む。本発明において、Ｎｏｄｅ Ｂ６０１は、前記表１のようなテーブルをメモリに有していなければならず、ステップ６０３で、ＮＢＡＰメッセージを通じて受信された情報を表１にマッピングしてＵＥの総送信電力の実際値がどのぐらいであるかを判断することができる。例えば、ステップ６０３のＮＢＡＰメッセージに前記ＵＥの電力等級が電力等級３であることを示す情報を含んでいれば、Ｎｏｄｅ Ｂ６０１は、表１で電力等級３が２４ｄＢｍであることを判断することができ、前記値を利用できる。
【００５９】
前記ＮＢＡＰメッセージの二番目の方法は、ＵＥの最大送信電力値を直接伝送するが、これは、図６Ｂを参照して説明されることができる。Ｎｏｄｅ Ｂ６１１は、前記表１のようなテーブルをメモリに有している必要がなく、ステップ６１３で、ＲＮＣ６１２がＵＥの最大送信電力値を、ＮＢＡＰメッセージを通じて直接的に伝送する。一番目の方法に比べて、本方法が送信情報の量がさらに大きい。しかし、本方法は、Ｎｏｄｅ Ｂがこのメモリに表１のような情報を有している必要がないという長所がある。
【００６０】
前記二番目の方法による実施例は、下記第６実施例を参照して後述する。 
前記ＮＢＡＰメッセージは、ＵＥがハンドオフを遂行するか、通信が連結されたＮｏｄｅ Ｂを変更する場合、ＲＮＣからＮｏｄｅ Ｂにかならず伝送されなければならない。ＮＢＡＰメッセージが伝送されると、Ｎｏｄｅ Ｂが変更されるかまたは追加されない以上、追加のメッセージ情報を必要としない。
【００６１】
[第３実施例]
下記では第３実施例を説明する。本実施例では、ＵＥは、物理チャンネルを通じて送信電力マージン情報のみを伝送する。一方、Ｎｏｄｅ Ｂは、Ｉｕｂ接続を経てＮＢＡＰシグナリングを通じてＵＥの総送信電力情報をＲＮＣから受信する。新たに定義されるＥＵＤＣＨのために必要なＮＢＡＰメッセージも新たに定義されるか、または既存メッセージが部分的に変化される必要がある。前記ＥＵＤＣＨのために必要なＮＢＡＰメッセージの内に前記ＲＮＣが有しているＵＥの総送信電力情報を含んで伝送するようになる。前記ＵＥもＥＵＤＣＨを使用しようとするＵＥになる。
【００６２】
図８は、第３実施例で提案する方法を具体的に示す。図８において、ＵＥ８０３はＥＵＤＣＨサービスを受信しており、ＲＮＣ８０１は前記ＵＥ８０３を管理している。前記ＲＮＣ８０１は、“UE capability information”と呼ばれるＲＲＣメッセージ８０５を通じてＵＥ８０３の端末種類を判断することができ、前記ＵＥの種類情報の内に含まれたＵＥの電力等級情報でＵＥ８０３の総送信電力情報を判断することができる。ＥＵＤＣＨサービスが開始される場合、前記ＲＮＣ８０１は、ＮＢＡＰメッセージ８０６を通じてＮｏｄｅ Ｂ８０２に前記ＲＮＣ８０１が有している前記ＵＥ８０３の総送信電力情報を伝送する。ＵＥ８０３は、ＥＵＤＣＨを伝送するとき、物理チャンネルを利用して前記ＵＥ８０３の送信電力マージン情報８０４を前記Ｎｏｄｅ Ｂ８０２に周期的に伝送する。そうすると、前記Ｎｏｄｅ Ｂ８０２は、前記ＵＥ８０３の総送信電力情報８０６及び現在送信電力マージン情報８０４を獲得して式１を通じて前記ＵＥ８０３の逆方向チャンネル情報を示す送信電力マージン情報を得ることができる。従って、前述したように、前記Ｎｏｄｅ Ｂ８０２は、ＵＥの送信電力情報及び送信電力マージン情報をすべて獲得することができ、これにより、さらに効率的であり最適化のスケジューリングが可能になる。
【００６３】
前記ＲＮＣがＵＥの総送信電力情報を、ＮＢＡＰメッセージを通じてＮｏｄｅ Ｂに伝送する場合にも２つの方法が可能である。このような方法は、前記第２実施例で説明した方法と同一である。
前記二番目の方法による実施例は、下記第７実施例を参照して後述する。
下記には、第４実施例及び第５実施例を通じて前述した第１実施例の変形された２つの方法を提示する。
【００６４】
[第４実施例]
第４実施例は、逆方向チャンネル状況を示すＵＥの送信電力情報及びＵＥの電力等級情報を物理チャンネルを通じてＮｏｄｅ Ｂに直接に伝送する方式を取る。前記２通りの情報及び式１を利用して、Ｎｏｄｅ Ｂは、ＵＥの送信電力情報及びＵＥの送信電力マージン情報を探すことができる。下記で本実施例を、図９を参照して説明する。
【００６５】
ＲＮＣ９０１はＮｏｄｅ Ｂ９０２を管理しており、ＵＥ９０３はＮｏｄｅ Ｂ９０２とＥＵＤＣＨとの送受信を遂行している。ＵＥ９０３は、ＵＥの送信電力のような逆方向チャンネル状況情報９０４をＮｏｄｅ Ｂ９０２に物理チャンネルを通じて伝送する。また、ＵＥ９０３は、前記ＵＥの端末種類情報に含まれた電力等級情報９０５をＮｏｄｅ Ｂ９０２に物理チャンネルを通じて伝送する。前記電力等級情報は、前記第１実施例及び第３実施例で説明したように２ビットのみが必要であり、このとき、Ｎｏｄｅ Ｂは、表１をメモリに有していなければならない。また、図９において実線で表された情報９０４は、Ｎｏｄｅ Ｂ９０２に周期的に伝送されなければならない。しかし、図９において点線で表された電力等級情報９０５はＮｏｄｅ Ｂに一度のみ伝送されることができる。すなわち、Ｎｏｄｅ Ｂが変更されるかまたは追加される場合にのみ前記電力等級情報９０５が伝送される。これは、ＵＥの逆方向チャンネル状況情報９０４が時間に従って変化し、一方、電力等級情報９０５は一定の値を保持するからである。
【００６６】
前記過程及び式１を通じて、Ｎｏｄｅ Ｂ９０２は、ＵＥの送信電力情報及び前記ＵＥの送信電力マージン情報を得ることができ、スケジューリングをより効率的に遂行してＥＵＤＣＨのシステム性能を向上させる。
【００６７】
[第５実施例]
第５実施例は、ＵＥの送信電力マージン情報及びＵＥの総送信電力情報を物理チャンネルを通じてＮｏｄｅ Ｂに直接に伝送する方式を取る。前記２通りの情報及び式１を利用して、Ｎｏｄｅ Ｂは、ＵＥの逆方向チャンネル状況情報及びＵＥの送信電力マージン情報を探すことができる。下記で本実施例を、図１０を参照して説明する。
【００６８】
ＲＮＣ１００１はＮｏｄｅ Ｂ１００２を管理しており、ＵＥ１００３はＮｏｄｅ Ｂ１００２とＥＵＤＣＨとの送受信を遂行している。ＵＥ１００３は、ＵＥ１００３の送信電力マージン情報１００４をＮｏｄｅ Ｂ１００２に物理チャンネルを通じて伝送する。また、前記ＵＥ１００３は、前記ＵＥの端末種類情報に含まれた電力等級情報１００５をＮｏｄｅ Ｂ１００２に物理チャンネルを通じて伝送する。前記電力等級情報は、前記第２実施例及び第３実施例で説明したように２ビットのみが必要であり、このとき、前記Ｎｏｄｅ Ｂは、表１をメモリに有していなければならない。また、図１０において実線で表された送信電力マージン情報１００４は、Ｎｏｄｅ Ｂ１００２に周期的に伝送されなければならないが、図１０で点線で表された電力等級情報１００５はＮｏｄｅ Ｂ１００２に一度のみ伝送されることができる。すなわち、Ｎｏｄｅ Ｂが変更されるかまたは追加される場合にのみ前記電力等級情報１００５が伝送される。これは、ＵＥの送信電力マージン情報１００４が時間に従って変化し、一方、電力等級情報１００５は一定の値を保持するからである。
【００６９】
前記過程及び式１を通じて、Ｎｏｄｅ Ｂ１００２は、ＵＥの送信電力情報及び前記ＵＥの送信電力マージン情報を得ることができ、スケジューリングをより効率的に遂行してＥＵＤＣＨのシステム性能を向上させる。
次に、第６実施例及び第７実施例を通じてＮｏｄｅ Ｂが別途のテーブルを備えず、ＲＮＣからＵＥの総電力情報を直接受信する２つの方法を提示する。
【００７０】
[第６実施例]
第６実施例は、逆方向チャンネル状況を示すＵＥの送信電力情報を物理チャンネルを通じてＮｏｄｅ Ｂに伝送し、前記ＵＥの電力マージン情報を求めるために、ＲＮＣから総送信電力情報を直接受信する方法を取る。前記２通りの情報及び式１を利用して、Ｎｏｄｅ Ｂは、ＵＥの送信電力情報及びＵＥの送信電力マージン情報を求めることができる。下記で本実施例を、図１１を参照して説明する。
【００７１】
ＲＮＣ１１０１はＮｏｄｅ Ｂ１１０２を管理しており、ＵＥ１１０３はＮｏｄｅ Ｂ１１０２とＥＵＤＣＨとの送受信を遂行している。ＵＥ１１０３は、ＵＥの送信電力のような逆方向チャンネル状況情報１１０４をＮｏｄｅ Ｂ１１０２に物理チャンネルを通じて伝送する。また、前記ＲＮＣ１１０１は、ＵＥ１１０３のＵＥの端末種類情報に含まれた電力等級による総送信電力情報１１０６をＮｏｄｅ Ｂ１１０２に伝送する。前述したように、前記総送信電力情報１１０６は、前記ＲＮＣ１１０１で前記ＵＥ１１０３から受信された電力等級情報から前記表１に基づいて求められることができる。 
前記過程及び式１を通じて、Ｎｏｄｅ Ｂ１１０２は、ＵＥの送信電力情報及びＵＥの送信電力マージン情報を得ることができ、スケジューリングをより効率的に遂行してＥＵＤＣＨのシステム性能を向上させる。
【００７２】
[第７実施例]
第７実施例は、逆方向チャンネル状況を示すＵＥの電力マージン情報を、物理チャンネルを通じてＮｏｄｅ Ｂに伝送し、前記ＵＥの送信電力情報を求めるために、ＲＮＣから総送信電力情報を直接受信する方法を取る。前記２通りの情報及び式１を利用して、Ｎｏｄｅ Ｂは、ＵＥの送信電力情報及びＵＥの送信電力マージン情報を求めることができる。下記で本実施例を、図１２を参照して説明する。
【００７３】
ＲＮＣ１２０１はＮｏｄｅ Ｂ１２０２を管理しており、ＵＥ１２０３はＮｏｄｅ Ｂ１２０２とＥＵＤＣＨとの送受信を遂行している。ＵＥ１２０３は、送信電力マージン情報１２０４をＮｏｄｅ Ｂ１２０２に物理チャンネルを通じて伝送する。また、前記ＲＮＣ１２０１は、ＵＥの端末種類情報に含まれた電力等級による総送信電力情報１２０６をＮｏｄｅ Ｂ１２０２に伝送する。前述したように、前記総送信電力情報１２０６は、前記ＲＮＣ１２０１が前記ＵＥ１２０３から受信された電力等級情報から前記表１によって求められることができる。 
【００７４】
前記過程及び式１を通じて、Ｎｏｄｅ Ｂ１２０２は、ＵＥの送信電力情報及び前記ＵＥの送信電力マージン情報を得ることができ、スケジューリングをより効率的に遂行してＥＵＤＣＨのシステム性能を向上させる。
【００７５】
本発明は、ＥＵＤＣＨを使用するシステムにおいて、Ｎｏｄｅ Ｂが担当する速いスケジューリングのために前記スケジューリングに必要な情報を効率的にＮｏｄｅ Ｂが有することができるようにする方法を提示する。Ｎｏｄｅ ＢにＵＥの情報を伝送する方法として、物理チャンネルを通じて伝送する方法及びＮＢＡＰシグナリングを通じて伝送する方法がある。本発明は、多様な実施例を通じて前記方法を適切に組み合わせて不要な情報を最大に減少させ、これにより、最適化された効率的なスケジューリングが可能な方法を説明した。
【００７６】
従って、前記のような方法によって、Ｎｏｄｅ ＢがＵＥの送信電力情報及び前記ＵＥの送信電力マージン情報を考慮して前記ＵＥのデータレートをスケジューリングし、前記スケジューリングの方法は多様に実現されることができる。例えば、前記ＵＥのデータレートを前記送信電力に比例して設定し、同時に前記ＵＥの送信電力マージン値に従って前記設定されたデータレートを効果的に再調整する方法が講じられることができる。
【００７７】
これに関連して、下記では、ＵＥの逆方向送信電力がＮｏｄｅ Ｂによって任意の値で制限される場合を説明する。
Ｎｏｄｅ Ｂは、前述したように、ＵＥから端末種類情報に含まれたＵＥの電力等級に従ってＵＥの総送信電力情報を得ることができる。従って、Ｎｏｄｅ Ｂは、前記Ｎｏｄｅ Ｂが管理するセルの効率的なリソース管理のためにセルに属しているすべてのＵＥ、または各ＵＥに前記ＵＥが使用することができる逆方向送信電力の最大値を制限して通報する。前記逆方向送信電力の最大値は、許容逆方向送信電力(Maximum Allowed UL Tx Power)であると定義されるが、下記表６に示す範囲内の値を有するようになる。
【００７８】
【表６】
2004215276.tif 000008
【００７９】
従って、ＥＵＤＣＨを使用するＵＥは、逆方向チャンネル情報としての送信電力情報と送信電力マージン情報との間に下記式２のような関係を満足させる。
【００８０】
Ｔｘｐｏｗｅｒ＋Ｔｘｍａｒｇｉｎ＝Ｔｘａｌｌｏｗｅｄ＿ｐｏｗｅｒ           ・・・(２)
【００８１】
前記式２を参照すると、ＵＥの逆方向送信電力がＮｏｄｅ Ｂの許容逆方向送信電力によって制限されることがわかる。
図１３は、前記最大許容逆方向送信電力(Maximum Allowed UL Tx Power)がＳＲＮＣ１３０３からＵＥ１３０１に伝達される手順を示す。ＳＲＮＣ１３０３は、最大許容逆方向送信電力ＩＥを含むＲＲＣメッセージ、例えば、ACTIVE SET UPDATE、HANDOVER TO UTRAN COMMAND、PHYSICAL CHANNEL RECONFIGURATION、及びRADIO BEARER SETUPメッセージなどを通じてＮｏｄｅ Ｂ１３０２を経てＵＥ１３０１に伝送する(ステップ１３０４)。このとき、前記最大許容逆方向送信電力情報を受信したＵＥ１３０１は、逆方向送信の間は前記最大許容逆方向送信電力値の以下に送信電力を使用すべきである。前記ＳＲＮＣ１３０３から最大許容逆方向送信電力ＩＥに対する確認メッセージとして、ＵＥ１３０１は、最大許容逆方向送信電力確認ＩＥをRADIO BEARER SETUP COMPLETEメッセージのようなＲＲＣメッセージを通じてＮｏｄｅ Ｂ１３０２を経てＳＲＮＣ１３０３に伝送することができる(ステップ１３０４)。
【００８２】
従って、前記最大許容逆方向送信電力情報を受信したＵＥ１３０１は、受信した値を最大値にして逆方向送信電力を決定すべきであるので、前記実施例で電力等級に基づいた総送信電力情報から得る全体電力値を使用できない。また、Ｎｏｄｅ Ｂ１３０２は、ＵＥ１３０１の最大送信電力を電力等級による総送信電力情報から得る全体電力値として判断してはいけない。従って、Ｎｏｄｅ Ｂ１３０２は、ＵＥ１３０１の実際最大送信電力を知らなければならなく、ＳＲＮＣ１３０３がＮｏｄｅ Ｂ１３０２に前記最大許容逆方向送信電力値を伝送しなければならない。
【００８３】
図１４において、ＳＲＮＣ１４０２がＮｏｄｅ Ｂ１４０１にＩｕｂシグナリングを通じてＵＥの総最大許容逆方向送信電力値を伝達する(ステップ１４０３)。このとき、ＳＲＮＣ１４０２は、ＮＢＡＰ(Node B Application Part)メッセージを通じてＮｏｄｅ Ｂ１４０１にＵＥの総最大許容逆方向送信電力値を伝達するようになる。前記ＮＢＡＰメッセージに応じて、Ｎｏｄｅ Ｂ１４０１は、前記最大許容逆方向送信電力確認ＩＥをＲＮＣ１４０２に伝達できる(ステップ１４０４)。
【００８４】
これに関連して、第８実施例及び第９実施例では、前記過程を通じてＳＲＮＣが有するＵＥの最大許容逆方向送信電力情報をＳＲＮＣからＮｏｄｅ Ｂへ伝送できるようにしてＵＥが物理チャンネルを利用してＮｏｄｅ Ｂ に伝達する情報を最小化する方法を説明する。
【００８５】
[第８実施例]
下記で第８実施例を説明する。本実施例において、ＵＥは、物理チャンネルを通じて逆方向送信電力のような逆方向チャンネル状況情報のみを伝送するようになる。一方、Ｎｏｄｅ Ｂは、Ｉｕｂシグナリングを通じてＵＥの最大許容逆方向送信電力情報をＲＮＣから受信する。すなわち、ＥＵＤＣＨのために必要なＮＢＡＰメッセージの内に前記ＲＮＣがＵＥに対して定められたＵＥの最大許容逆方向送信電力情報を含んで伝送する。このとき、前記ＵＥもＥＵＤＣＨを使用しようとするＵＥになる。
【００８６】
図１５は、第８実施例で提案する方法を具体的に示す。図１５において、ＵＥ１５０３はＥＵＤＣＨサービスを受信しており、ＲＮＣ１５０１は前記ＵＥ１５０３を管理している。前記ＲＮＣ１５０１は、最大許容逆方向送信電力ＩＥ１５０５を通じてＵＥ１５０３に伝達し、前記ＵＥ１５０３は、前記ＵＥが伝送することができる総送信電力情報を得ることができる。ＥＵＤＣＨサービスが開始される場合、前記ＲＮＣ１５０１は、ＮＢＡＰメッセージ１５０６を通じてＮｏｄｅ Ｂ１５０２に前記ＲＮＣ１５０１が有している前記ＵＥ１５０３の最大許容逆方向送信電力情報を伝送するようになる。ＵＥ１５０３は、ＥＵＤＣＨを伝送するにおいて、物理チャンネルを利用して前記ＵＥ１５０３の逆方向チャンネル状況情報を示す送信電力情報１５０４を前記Ｎｏｄｅ Ｂ１５０２に周期的に伝送する。そうすると、前記Ｎｏｄｅ Ｂ１５０２は、前記ＵＥ１５０３の最大許容逆方向送信電力情報１５０６及び現在送信電力情報１５０４を得るようになって前記式２を通じて前記ＵＥ１５０３の送信電力マージン情報を得ることができる。従って、前述したように、前記Ｎｏｄｅ Ｂ１５０２は、ＵＥの逆方向チャンネル状況を示す送信電力情報及び送信電力マージン情報をすべて得ることができ、これにより、さらに効率的であり最適化されたスケジューリングが可能になる。
【００８７】
前記ＮＢＡＰメッセージは、ＲＮＣ１５０１がＵＥ１５０３に最大許容逆方向送信電力ＩＥ１５０５を伝送するようになる場合、かならずＲＮＣ１５０１からＮｏｄｅ Ｂ１５０２へ伝送されなければならなく、一度伝送されると、Ｎｏｄｅ Ｂが変更されるかまたは追加されない以上追加のメッセージ情報を必要としない。
【００８８】
[第９実施例]
下記では第９実施例を説明する。本実施例において、ＵＥは、物理チャンネルを通じて送信電力マージン情報のみを伝送する。一方、Ｎｏｄｅ Ｂは、Ｉｕｂ接続を経てＮＢＡＰシグナリングを通じてＵＥの最大許容逆方向送信電力情報をＲＮＣから受信する。新たに定義されるＥＵＤＣＨのために必要なＮＢＡＰメッセージも新たに定義されるかまたは既存メッセージが変化される必要がある。前記ＥＵＤＣＨのために必要なＮＢＡＰメッセージの内に前記ＲＮＣが有しているＵＥの最大許容逆方向送信電力情報を含んで伝送する。前記ＵＥもＥＵＤＣＨを使用しようとするＵＥになる。
【００８９】
図１６は、第９実施例で提案する方法を具体的に示す。図１６において、ＵＥ１６０３はＥＵＤＣＨサービスを受信しており、前記ＲＮＣ１６０１は最大許容逆方向送信電力情報(Maximum Allowed UL Tx Power)ＩＥ１６０５を通じてＵＥ１６０３に伝達し、前記ＵＥ１６０３は、前記ＵＥが伝送することができる総送信電力情報を得ることができる。ＥＵＤＣＨサービスが開始される場合、前記ＲＮＣ１６０１は、ＮＢＡＰメッセージ１６０６を通じてＮｏｄｅ Ｂ１６０２に前記ＲＮＣ１６０１が有している前記ＵＥ１６０３の最大許容逆方向送信電力情報を伝送する。ＵＥ１６０３は、ＥＵＤＣＨを伝送するにおいて、物理チャンネルを利用して前記ＵＥ１６０３の送信電力マージン情報１６０４を前記Ｎｏｄｅ Ｂ１６０２に周期的に伝送する。そうすると、前記Ｎｏｄｅ Ｂ１６０２は、前記ＵＥ１６０３の最大許容逆方向送信電力情報１６０６及び現在送信電力マージン情報１６０４を得るようになって、式２を通じて前記ＵＥ１６０３の逆方向チャンネル情報を示す送信電力情報を得ることができる。従って、前述したように、前記Ｎｏｄｅ Ｂ１６０２は、ＵＥの逆方向チャンネル状況を示す送信電力情報及び送信電力マージン情報をすべて得ることができ、これにより、さらに効率的であり最適化されたスケジューリングが可能になる。
【００９０】
本発明の第１０実施例及び第１１実施例は、前記過程を通じてＲＮＣが有するＵＥの最大許容逆方向送信電力情報及び総送信電力情報をＲＮＣからＮｏｄｅ Ｂへ伝送できるようにして、ＵＥが物理チャンネルを利用してＮｏｄｅ Ｂ に伝達する情報を最小化する方法を説明する。本実施例において、ＵＥは、ＵＥが有している総送信電力情報及びＲＮＣから受信した最大許容逆方向送信電力情報のうち、小さい電力値を利用して逆方向伝送に使用するようになる。従って、ＥＵＤＣＨを使用するＵＥは、逆方向チャンネル情報としての送信電力情報と送信電力マージン情報との間に下記式３のような関係を満足させる。
【００９１】
Ｔｘｐｏｗｅｒ＋Ｔｘｍａｒｇｉｎ＝Ｍｉｎ(Ｔｘａｌｌｏｗｅｄ＿ｐｏｗｅｒ，Ｔｘｍａｘ＿ｐｏｗｅｒ)
・・・(３)
【００９２】
[第１０実施例]
下記で第１０実施例を説明する。本実施例において、ＵＥは、逆方向送信電力のような逆方向チャンネル状況情報のみを物理チャンネルを通じて伝送する。一方、Ｎｏｄｅ Ｂは、Ｉｕｂシグナリングを通じてＵＥの最大許容逆方向送信電力情報及び総送信電力情報をＲＮＣから受信する。ＥＵＤＣＨのために必要なＮＢＡＰメッセージの内に前記ＲＮＣがＵＥに対して定められたＵＥの最大許容逆方向送信電力情報及び総送信電力情報を含んで伝送する。前記ＵＥもＥＵＤＣＨを使用しようとするＵＥになる。
【００９３】
図１７は、第１０実施例で提案する方法を具体的に示す。図１７において、ＵＥ１７０３はＥＵＤＣＨサービスを受信しており、ＲＮＣ１７０１は前記ＵＥ１７０３を管理している。前記ＲＮＣ１７０１は、“UE capability information”と呼ばれるＲＲＣメッセージ１７０６を通じてＵＥ１７０３の端末種類を判断することができ、前記端末種類情報の内に含まれたＵＥの電力等級情報でＵＥ１７０３の総送信電力情報を判断することができる。また、前記ＲＮＣ１７０１は、最大許容逆方向送信電力ＩＥ１７０５を通じてＵＥ１７０３に伝送し、前記ＵＥ１７０３は、前記ＵＥが伝送することができる総送信電力情報を得ることができる。ＥＵＤＣＨサービスが開始される場合、前記ＲＮＣ１７０１は、ＮＢＡＰメッセージ１７０７を通じてＮｏｄｅ Ｂ１７０２に前記ＲＮＣ１７０１が有している前記ＵＥ１７０３の最大許容逆方向送信電力情報及び総送信電力情報を伝送する。ＵＥ１７０３は、ＥＵＤＣＨを伝送するとき、物理チャンネルを利用して前記ＵＥ１７０３の逆方向チャンネル状況情報を示す送信電力情報１７０４を前記Ｎｏｄｅ Ｂ１７０２に周期的に伝送する。そうすると、前記Ｎｏｄｅ Ｂ１７０２は、前記ＵＥ１７０３の最大許容逆方向送信電力情報及び総送信電力情報１７０７を得るようになる。また、Ｎｏｄｅ Ｂ１７０２は、現在送信電力情報１７０４を得るようになって、前記式３を通じて前記ＵＥ１７０３の送信電力マージン情報を得ることができる。従って、前述したように、前記Ｎｏｄｅ Ｂ１７０２は、ＵＥの逆方向チャンネル状況を示す送信電力情報及び送信電力マージン情報をすべて得ることができ、これにより、さらに効率的であり最適化されたスケジューリングが可能になる。
【００９４】
前記ＮＢＡＰメッセージは、ＲＮＣ１７０１がＵＥ１７０３に最大許容逆方向送信電力ＩＥを伝送する場合、または総送信電力情報ＩＥを伝送する場合において、かならずＲＮＣ１７０１からＮｏｄｅ Ｂ１７０２へ伝送されなければならなく、一度伝送されると、Ｎｏｄｅ Ｂが変わるかまたは追加されない以上追加のメッセージ情報を必要としない。
【００９５】
[第１１実施例]
下記では第１１実施例を説明する。本実施例において、ＵＥは、送信電力マージン情報のみを物理チャンネルを通じて伝送する。一方、Ｎｏｄｅ Ｂは、Ｉｕｂ接続を経てＮＢＡＰシグナリングを通じてＵＥの最大許容逆方向送信電力情報及び総送信電力情報をＲＮＣから受信する。新たに定義されるＥＵＤＣＨのために必要なＮＢＡＰメッセージも新たに定義されるか、既存メッセージの変化が必要である。前記ＥＵＤＣＨのために必要なＮＢＡＰメッセージの内に前記ＲＮＣが有しているＵＥの最大許容逆方向送信電力情報及び総送信電力情報を含んで伝送する。前記ＵＥもＥＵＤＣＨを使用しようとするＵＥになる。
【００９６】
図１８は、第１１実施例で提案する方法を具体的に示す。図１８において、ＵＥ１８０３はＥＵＤＣＨサービスを受信しており、前記ＲＮＣ１８０１は“UE capability information”と呼ばれるＲＲＣメッセージ１８０６を通じてＵＥ１８０３の端末種類を判断することができ、前記端末種類情報の内に含まれたＵＥ電力等級情報でＵＥ１８０３の総送信電力情報を判断することができる。また、前記ＲＮＣ１８０１は、最大許容逆方向送信電力ＩＥ１８０５を通じてＵＥ１８０３に伝達し、前記ＵＥ１８０３は、前記ＵＥが伝送することができる総送信電力情報を得ることができる。ＥＵＤＣＨサービスが開始される場合、前記ＲＮＣ１８０１は、ＮＢＡＰメッセージ１８０７を通じてＮｏｄｅ Ｂ１８０２に前記ＲＮＣ１６０１が有している前記ＵＥ１８０３の最大許容逆方向送信電力情報及び総送信電力情報を伝送する。ＵＥ１８０３は、ＥＵＤＣＨを伝送するとき、物理チャンネルを利用して前記ＵＥ１８０３の送信電力マージン情報１８０４を前記Ｎｏｄｅ Ｂ１８０２に周期的に伝送する。そうすると、前記Ｎｏｄｅ Ｂ１８０２は、前記ＵＥ１８０３の最大許容逆方向送信電力情報及び総送信電力情報１８０７を得るようになる。また、現在送信電力マージン情報１８０４を得るようになって、式３を通じて前記ＵＥ１８０３の逆方向チャンネル情報を示す送信電力情報を得ることができる。従って、前述したように、前記Ｎｏｄｅ Ｂ１８０２は、ＵＥの逆方向チャンネル状況を示す送信電力情報及び送信電力マージン情報をすべて得ることができ、これにより、さらに効率的であり最適化されたスケジューリングが可能になる。
【００９７】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００９８】
【図１】ＥＵＤＣＨを使用するシステムを概略的に示す図である。
【図２】ＥＵＤＣＨの送受信のための基本手順を示す図である。
【図３】ＷＣＤＭＡ無線接続システムの基本構造を示す図である。
【図４】本発明の第１実施例によるシステム構造を示す図である。
【図５】本発明に従って端末種類(UE capability)情報がＲＲＣメッセージを通じてシグナリングされる手順を示す図である。
【図６Ａ】本発明が提案するＩｕｂ接続を通じたＮＢＡＰシグナリング手順を示す図である。
【図６Ｂ】本発明が提案するＩｕｂ接続を通じたＮＢＡＰシグナリング手順を示す図である。
【図７】本発明の第２実施例によるシステム構造を示す図である。
【図８】本発明の第３実施例によるシステム構造を示す図である。
【図９】本発明の第４実施例によるシステム構造を示す図である。
【図１０】本発明の第５実施例によるシステム構造を示す図である。
【図１１】本発明の第６実施例によるシステム構造を示す図である。
【図１２】本発明の第７実施例によるシステム構造を示す図である。
【図１３】本発明の他の実施例による最大許容逆方向送信電力情報がＲＲＣメッセージを通じてシグナリングされる手順を示す図である。
【図１４】本発明の他の実施例によるＩｕｂ接続を通じたＮＢＡＰシグナリング手順を示す図である。
【図１５】本発明の第８実施例によるシステム構造を示す図である。
【図１６】本発明の第９実施例によるシステム構造を示す図である。
【図１７】本発明の第１０実施例によるシステム構造を示す図である。
【図１８】本発明の第１１実施例によるシステム構造を示す図である。
【符号の説明】
【００９９】
７０１  ＲＮＣ
７０２  Ｎｏｄｅ Ｂ
７０３  ＵＥ
７０４  送信電力情報
７０５  ＲＲＣメッセージ
７０６  参照番号
【図１】
2004215276.tif 000009
【図２】
2004215276.tif 000010
【図３】
2004215276.tif 000011
【図４】
2004215276.tif 000012
【図５】
2004215276.tif 000013
【図６Ａ】
2004215276.tif 000014
【図６Ｂ】
2004215276.tif 000015
【図７】
2004215276.tif 000016
【図８】
2004215276.tif 000017
【図９】
2004215276.tif 000018
【図１０】
2004215276.tif 000019
【図１１】
2004215276.tif 000020
【図１２】
2004215276.tif 000021
【図１３】
2004215276.tif 000022
【図１４】
2004215276.tif 000023
【図１５】
2004215276.tif 000024
【図１６】
2004215276.tif 000025
【図１７】
2004215276.tif 000026
【図１８】
2004215276.tif 000027
【外国語明細書】
2004215276.tif 000028
2004215276.tif 000029
2004215276.tif 000030
2004215276.tif 000031
2004215276.tif 000032
2004215276.tif 000033
2004215276.tif 000034
2004215276.tif 000035
2004215276.tif 000036
2004215276.tif 000037
2004215276.tif 000038
2004215276.tif 000039
2004215276.tif 000040
2004215276.tif 000041
2004215276.tif 000042
2004215276.tif 000043
2004215276.tif 000044
2004215276.tif 000045
2004215276.tif 000046
2004215276.tif 000047
2004215276.tif 000048
2004215276.tif 000049
2004215276.tif 000050
2004215276.tif 000051
2004215276.tif 000052
2004215276.tif 000053
2004215276.tif 000054
2004215276.tif 000055
2004215276.tif 000056
2004215276.tif 000057
2004215276.tif 000058
2004215276.tif 000059
2004215276.tif 000060
2004215276.tif 000061
2004215276.tif 000062
2004215276.tif 000063
2004215276.tif 000064
2004215276.tif 000065
2004215276.tif 000066
2004215276.tif 000067
2004215276.tif 000068
2004215276.tif 000069
2004215276.tif 000070
2004215276.tif 000071
2004215276.tif 000072
2004215276.tif 000073
2004215276.tif 000074
2004215276.tif 000075
2004215276.tif 000076
2004215276.tif 000077
2004215276.tif 000078
2004215276.tif 000079
2004215276.tif 000080
2004215276.tif 000081
2004215276.tif 000082
2004215276.tif 000083
2004215276.tif 000084